【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
外方部材と内方部材と転動体を有する転動装置において、混和ちょう度が３００以上であるグリース組成物を、転動装置内部の空間容積の３０％以上、封入したことを特徴とする転動装置。
【請求項２】
前記グリース組成物は、基油と増ちょう剤と添加剤を含有し、前記基油は、合成炭化水素油およびエーテル油の少なくとも１種を含有し、前記増ちょう剤はリチウム石けんまたはウレア化合物の少なくとも１種を含有し、前記添加剤は、金属元素を含有しないことを特徴とする請求項１に記載の転動装置。
【請求項３】
清浄な環境において使用されることを特徴とする請求項１または請求項２に記載の転動装置。
【請求項４】
クリーンルーム、半導体製造装置、液晶パネル製造装置、またはハードディスク製造装置における前記清浄な環境において使用されることを特徴とする請求項３に記載の転動装置。
【手続補正２】
【補正対象書類名】明細書
【補正対象項目名】０００７
【補正方法】変更
【補正の内容】
【０００７】
前記課題を解決するため、本発明による転動装置は、外方部材と内方部材と転動体を有する転動装置において混和ちょう度が３００以上であるグリース組成物を、転動装置内部の空間容積の３０％以上、封入したことを特徴とする。また、前記グリース組成物は、基油と増ちょう剤と添加剤を含有し、前記基油は、合成炭化水素油およびエーテル油の少なくとも１種を含有し、前記増ちょう剤はリチウム石けんまたはウレア化合物の少なくとも１種を含有し、前記添加剤は、金属元素を含有しないことが好ましい。なお、混和ちょう度は、ＪＩＳ  Ｋ  ２２２０に記載された方法にて測定する。また、転動装置は、清浄な環境において使用されることが好ましい。また、転動装置は、クリーンルーム、半導体製造装置、液晶パネル製造装置、またはハードディスク製造装置における前記清浄な環境において使用されることが好ましい。
【手続補正３】
【補正対象書類名】明細書
【補正対象項目名】００１３
【補正方法】変更
【補正の内容】
【００１３】
上記のような転動装置に封入されるグリース組成物は、以下の組成を有することが好ましい。
基油は、優れた潤滑性能、トルク性能を有する合成油が望ましく、中でも優れた発塵性能を備える合成炭化水素油及びエーテル油の少なくとも１種を含む潤滑油が好ましい。合成炭化水素油としてはポリαオレフィン油等を、エーテル油としてはジアルキルジフェニルエーテル油、アルキルトリフェニルエーテル油、アルキルテトラフェニルエーテル油等を挙げることができる。特に高温耐久性を考慮すると、アルキルジフェニルエーテルを必須成分（基油成分の５０質量％以上）とする潤滑油が望ましい。また、低温流動性の観点からは、合成炭化水素油が最も望ましい。基油の動粘度は１０〜２５０ｍｍ２／ｓｅｃ、特に３０〜１５０ｍｍ２／ｓｅｃが望ましい。これは、１０ｍｍ２／ｓｅｃ未満では高温で蒸発し易く、２５０ｍｍ２／ｓｅｃ以上では摩擦トルクの増大、発塵量の増加を起こす恐れがあるためである。
【手続補正４】
【補正対象書類名】明細書
【補正対象項目名】００１５
【補正方法】変更
【補正の内容】
【００１５】
また、グリース組成物には、金属元素を含まない化合物からなる添加剤が配合されることが、好ましい。以下に添加剤の種類と、その好適な化合物を例示するが、これらの化合物の中でも、硫黄や塩素、リンを含まないものが望ましい。添加剤は、防錆性の要求に答えるために防錆剤を添加することが好ましい。また、必要なら酸化防止剤、油性剤、金属不活性剤等を添加することができる。以下に本発明に使用することができる添加剤の一例を示す。防錆剤としてはコハク酸等のカルボン酸及びその誘導体、ソルビタン等の非イオン界面活性剤を用いることができる。また、酸化防止剤としてはアミン系、フェノール系酸化防止剤、油性剤としては長鎖脂肪酸系油性剤、金属不活性剤としてはベンゾトリアゾール系金属不活性剤等を用いることができる。
【手続補正５】
【補正対象書類名】明細書
【補正対象項目名】００１８
【補正方法】変更
【補正の内容】
【００１８】
以下に実施例及び比較例を挙げて、本発明を更に説明する。
図３に示すような発塵量評価装置内に、下記に示すような転動装置としての転がり軸受５０を２個セットし、表１に示すグリース組成物を封入し、駆動モータ６０で前記転がり軸受を回転させ、発塵量評価装置内に清浄な空気（Ｆｒｅｓｈ  Ａｉｒ）を流して、前記発塵評価装置から流れ出る空気１Ｌ（リットル）当りの発塵量（個／Ｌ）をパーティクルカウンターで測定することで発塵量の評価を行った。
使用軸受：シールド付き深溝玉軸受（型番  ６０８）
回転数:１２００、３０００ｍｉｎ−１
試験環境：２５℃一定
また、前記グリース組成物は、基油と増ちょう剤と添加剤を含有し、前記基油は、合成炭化水素油を含有し、前記増ちょう剤はウレア化合物を含有し、前記添加剤は、金属元素を含有しない。なお、混和ちょう度は、ＪＩＳ  Ｋ  ２２２０に記載された方法にて測定した。
【手続補正６】
【補正対象書類名】明細書
【補正対象項目名】００１９
【補正方法】変更
【補正の内容】
【００１９】
【表１】
2015224747.tif 000001
【手続補正７】
【補正対象書類名】明細書
【補正対象項目名】００２０
【補正方法】変更
【補正の内容】
【００２０】
表1、図４，５に発塵量の測定結果を示す。比較例１、２と実施例１〜３は回転数１２００ｍｉｎ−１、グリース封入量を軸受の空間容積の３０％に固定し、混和ちょう度を調整し、発塵量の比較を行っている。混和ちょう度が２５０を超え、３００以上であると、グリース組成物を軟らかくするに連れ、発塵量が低減していくので、混和ちょう度は３００以上が好ましい。また、混和ちょう度はグリース組成物を傾けたときに流動しない、４２０以下であることが好ましい。
【手続補正８】
【補正対象書類名】明細書
【補正対象項目名】００２１
【補正方法】変更
【補正の内容】
【００２１】
比較例３〜６と実施例４〜９は、回転数３０００ｍｉｎ−１、混和ちょう度を４００に固定し、軸受内部のグリース封入量を調整し、発塵量の比較を行っている。グリース封入量が転動装置の空間容積の１〜２０％である比較例３〜６では、発塵量が多い。それに対して、グリース封入量が転動装置の空間容積の３０％以上である実施例４〜９では、発塵量が少ないので、本発明では、グリース封入量を、転動装置の空間容積の３０％以上とする。また、３０〜７０％までは、グリース組成物を詰めれば詰めるほど、発塵量は低減していくが、７０％を超えると、軸受内部からグリース組成物が漏れ出て、発塵量の増加につながる恐れがあるので、７０％以下が好ましい。
【手続補正９】
【補正対象書類名】明細書
【補正対象項目名】００２３
【補正方法】変更
【補正の内容】
【００２３】
１    内輪軌道面
２    内輪
３    外輪軌道面
４    外輪
５    玉
６    シール部材
７    保持器
１０  ボールネジ軸
１２  ボールネジ溝
２０  ボールナット
２４  ボールネジ溝
２８  シール部材
３０  ボール
４０  チューブ式循環路
５０  転がり軸受
６０  駆動モータ
【手続補正１０】
【補正対象書類名】図面
【補正対象項目名】図５
【補正方法】変更
【補正の内容】
【図５】
2015224747.tif 000002